(57)【特許請求の範囲】
【請求項１】
支持ピンと駆動ピンを１箇所ずつ有する複数枚の絞り羽根と；固定環と；上記絞り羽根の支持ピンを支持する支持環と；上記絞り羽根の駆動ピンを支持し、光軸周りに回転自由で、上記支持環との相対回転により絞りを開閉する開閉環と；該開閉環と係合されて一体に回転し、その角度位置によって絞り動作時の絞り開口を操作する絞りレバーと；を有する絞り開閉装置において、
上記固定環と支持環の間に、上記固定環に支持環を組立固定する際に、該固定環と支持環との相対角度位置を段階的に変化させる、上記支持環の外周面に任意の角度間隔で設けた複数の溝と、上記固定環の内周面に設けた上記複数の溝のいずれかに嵌まる突起とからなる第一の段階的組立固定手段を設け、
上記絞りレバーと開閉環との間に、上記絞りレバーを開閉環に固定する際に、上記開閉環と絞りレバーとの相対角度位置を段階的に変化させる、上記開閉環の端面に任意の角度間隔で設けた複数の絞りレバー係合溝と、これらの係合溝のいずれかに周方向の遊びなく挿入される上記絞りレバーとからなる第二の段階的組立固定手段を設けたことを特徴とする絞り開閉装置の組立時調整機構。
【請求項２】
支持ピンと駆動ピンを１箇所ずつ有するＮ枚（Ｎ＞１）の絞り羽根と；固定環と；上記絞り羽根の支持ピンを支持する支持環と；上記絞り羽根の駆動ピンを支持し、光軸周りに回転自由で、上記支持環との相対回転により絞りを開閉する開閉環と；該開閉環と係合されて一体に回転し、その角度位置によって絞り動作時の絞り開口を操作する絞りレバーと；を有する絞り開閉装置において、
０°＜α＜（３６０／Ｎ）°を満たす任意の角度α、及び、０°＜β＜（３６０／Ｎ）°を満たす任意の角度βを微調整角度量としたとき、
上記固定環と支持環の間に、上記固定環に支持環を組立固定する際に、該固定環と支持環との相対角度位置を、（３６０／Ｎ×ｎ±α）°の角度間隔（ｎは任意の自然数）で段階的に変化させる、上記支持環の外周面に任意の角度間隔で設けた複数の溝と、上記固定環の内周面に設けた上記複数の溝のいずれかに嵌まる突起とからなる第一の段階的組立固定手段を設け、
上記絞りレバーと開閉環との間に、該絞りレバーを開閉環に固定する際に、上記開閉環と絞りレバーとの相対角度位置を、（３６０／Ｎ×ｎ’±β）°の角度間隔（ｎ’は任意の自然数）で段階的に変化させる、上記開閉環の端面に任意の角度間隔で設けた複数の絞りレバー係合溝と、これらの係合溝のいずれかに周方向の遊びなく挿入される上記絞りレバーとからなる第二の段階的組立固定手段を設けたことを特徴とする絞り開閉装置の組立時調整機構。
【請求項３】
支持ピンと駆動ピンを１箇所ずつ有するＮ枚（Ｎ＞１）の絞り羽根と；固定環と；上記絞り羽根の支持ピンを支持する支持環と；上記絞り羽根の駆動ピンを支持し、光軸周りに回転自由で、上記支持環との相対回転により絞りを開閉する開閉環と；該開閉環と係合されて一体に回転し、その角度位置によって絞り動作時の絞り開口を操作する絞りレバーと；を有する絞り開閉装置において、
露出値を１Ｅｖ変化させる絞り動作に要する開閉環の回転角度より小さい角度を微調整角度量αとし、露出値を１Ｅｖ変化させる絞り動作に要する絞りレバーの回転角度より小さい角度を調整角度量βとしたとき、
上記固定環と支持環の間に、上記固定環に支持環を組立固定する際に、該固定環と支持環との相対角度位置を、（３６０／Ｎ×ｎ±α）°の角度間隔（ｎは任意の自然数）で段階的に変化させる、上記支持環の外周面に任意の角度間隔で設けた複数の溝と、上記固定環の内周面に設けた上記複数の溝のいずれかに嵌まる突起とからなる第一の段階的組立固定手段を設け、
上記絞りレバーと開閉環との間に、上記絞りレバーを開閉環に固定する際に、該開閉環と絞りレバーとの相対角度位置を、（３６０／Ｎ×ｎ’±β）°の角度間隔（ｎ’は任意の自然数）で段階的に変化させる、上記開閉環の端面に任意の角度間隔で設けた複数の絞りレバー係合溝と、これらの係合溝のいずれかに周方向の遊びなく挿入される上記絞りレバーとからなる第二の段階的組立固定手段を設けたことを特徴とする絞り開閉装置の組立時調整機構。
【請求項４】
請求項２または３記載の絞り開閉装置の組立時調整機構において、上記αとβは、α＜βである絞り開閉装置の組立時調整機構。
【請求項５】
請求項２または３記載の絞り開閉装置の組立時調整機構において、上記αとβは、α＞βである絞り開閉装置の組立時調整機構。
【発明の詳細な説明】
【０００１】
【技術分野】
本発明は、一眼レフカメラ用交換レンズ鏡筒の絞り開閉装置の組立時調整機構に関する。
【０００２】
【従来技術およびその問題点】
従来、絞り開閉装置の組み立て時における絞り径調整は、測定機によって絞り径の基準値からのずれを測定し、絞りレバーから絞り羽根に至るまでに介在する各部品の相対角度位置を連続的に変化させて調整を行っている。しかし調整量は微少で作業者の勘に頼っており、測定しながらの調整もできないので、作業者は絞り径が規格内になるまで測定と調整を繰り返さなければならない。
【０００３】
【発明の目的】
本発明は、絞り開閉装置の絞り径の組立時調整において、測定・調整がそれぞれ１回で済み、より短い時間で調整可能な調整機構を提供する。
【０００４】
【発明の概要】
本発明は、支持ピンと駆動ピンを１箇所ずつ有する複数枚の絞り羽根と；固定環と；上記絞り羽根の支持ピンを支持する支持環と；上記絞り羽根の駆動ピンを支持し、光軸周りに回転自由で、上記支持環との相対回転により絞りを開閉する開閉環と；該開閉環と係合されて一体に回転し、その角度位置によって絞り動作時の絞り開口を操作する絞りレバーと；を有する絞り開閉装置において、上記固定環と支持環の間に、上記固定環に支持環を組立固定する際に、該固定環と支持環との相対角度位置を段階的に変化させる、上記支持環の外周面に任意の角度間隔で設けた複数の溝と、上記固定環の内周面に設けた上記複数の溝のいずれかに嵌まる突起とからなる第一の段階的組立固定手段を設け、上記絞りレバーと開閉環との間に、上記絞りレバーを開閉環に固定する際に、上記開閉環と絞りレバーとの相対角度位置を段階的に変化させる、上記開閉環の端面に任意の角度間隔で設けた複数の絞りレバー係合溝と、これらの係合溝のいずれかに周方向の遊びなく挿入される上記絞りレバーとからなる第二の段階的組立固定手段を設けたことを特徴としている。
【０００５】
本発明は、別の表現によると、支持ピンと駆動ピンを１箇所ずつ有するＮ枚（Ｎ＞１）の絞り羽根と；固定環と；上記絞り羽根の支持ピンを支持する支持環と；上記絞り羽根の駆動ピンを支持し、光軸周りに回転自由で、上記支持環との相対回転により絞りを開閉する開閉環と；該開閉環と係合されて一体に回転し、その角度位置によって絞り動作時の絞り開口を操作する絞りレバーと；を有する絞り開閉装置において、０°＜α＜（３６０／Ｎ）°を満たす任意の角度α、及び、０°＜β＜（３６０／Ｎ）°を満たす任意の角度βを微調整角度量としたとき、上記固定環と支持環の間に、上記固定環に支持環を組立固定する際に、該固定環と支持環との相対角度位置を、（３６０／Ｎ×ｎ±α）°の角度間隔（ｎは任意の自然数）で段階的に変化させる、上記支持環の外周面に任意の角度間隔で設けた複数の溝と、上記固定環の内周面に設けた上記複数の溝のいずれかに嵌まる突起とからなる第一の段階的組立固定手段を設け、上記絞りレバーと開閉環との間に、該絞りレバーを開閉環に固定する際に、上記開閉環と絞りレバーとの相対角度位置を、（３６０／Ｎ×ｎ’±β）°の角度間隔（ｎ’は任意の自然数）で段階的に変化させる、上記開閉環の端面に任意の角度間隔で設けた複数の絞りレバー係合溝と、これらの係合溝のいずれかに周方向の遊びなく挿入される上記絞りレバーとからなる第二の段階的組立固定手段を設けたことを特徴としている。
【０００６】
本発明は、さらに別の表現によると、支持ピンと駆動ピンを１箇所ずつ有するＮ枚（Ｎ＞１）の絞り羽根と；固定環と；上記絞り羽根の支持ピンを支持する支持環と；上記絞り羽根の駆動ピンを支持し、光軸周りに回転自由で、上記支持環との相対回転により絞りを開閉する開閉環と；該開閉環と係合されて一体に回転し、その角度位置によって絞り動作時の絞り開口を操作する絞りレバーと；を有する絞り開閉装置において、露出値を１Ｅｖ変化させる絞り動作に要する開閉環の回転角度より小さい角度を微調整角度量αとし、露出値を１Ｅｖ変化させる絞り動作に要する絞りレバーの回転角度より小さい角度を調整角度量βとしたとき、上記固定環と支持環の間に、上記固定環に支持環を組立固定する際に、該固定環と支持環との相対角度位置を、（３６０／Ｎ×ｎ±α）°の角度間隔（ｎは任意の自然数）で段階的に変化させる、上記支持環の外周面に任意の角度間隔で設けた複数の溝と、上記固定環の内周面に設けた上記複数の溝のいずれかに嵌まる突起とからなる第一の段階的組立固定手段を設け、上記絞りレバーと開閉環との間に、上記絞りレバーを開閉環に固定する際に、該開閉環と絞りレバーとの相対角度位置を、（３６０／Ｎ×ｎ’±β）°の角度間隔（ｎ’は任意の自然数）で段階的に変化させる、上記開閉環の端面に任意の角度間隔で設けた複数の絞りレバー係合溝と、これらの係合溝のいずれかに周方向の遊びなく挿入される上記絞りレバーとからなる第二の段階的組立固定手段を設けたことを特徴としている。
【０００７】
本発明の絞り開閉装置は、αとβの組み合わせによって微細で広範囲な調整ができる。α＜βとすると、支持環側が微調整機構、絞りレバー側が粗調整機構とできる。またその逆、すなわちα＞βとして、支持環側を粗調整機構、絞りレバー側を微調整機構とすることも可能である。
【０００８】
【発明の実施の形態】
図１は、本発明を適用した、８枚（Ｎ＝８）の絞り羽根１０を有する絞り開閉装置を備えた一眼レフカメラ用交換レンズ鏡筒の断面図である。固定環１１の内周には、支持環１２の外径と同径の内径を有し支持環１２を保持する第１段部１１ａが形成されている。支持環１２はこの固定環１１の第１段部１１ａとフィルター枠１４との間に挟着保持される。ここでは支持環１２による絞り径の微調整角度量α＝１０′（一定）に設定しており、支持環１２はその外周にＵ溝１２ｂ、１２ｃ、１２ｄ、１２ｅ、１２ｃ´、１２ｄ´、１２ｅ´が４４°５０′の角度ピッチ（＝３６０／Ｎ°−１０′）で７箇所（設計基準位置であるＵ溝１２ｂの両側に各３箇所ずつ）設けてある（図３）。このＵ溝は従来、設計基準位置のみに設けられており、調整の余地はなかった。本実施形態では固定環１１の第１段部１１ａの内周には支持環１２のＵ溝と係合する係合突起１１ｂが１箇所設けてあり、この係合突起１１ｂがいずれかのＵ溝と係合することにより固定環１１に対する支持環１２の角度位置が決定される。
【０００９】
固定環１１にはまた、開閉環１３の外径と同径の内径を有する第２段部１１ｃも形成されている。開閉環１３はこの固定環１１の第２段部１１ｃ内に回転可能に嵌められていて、支持環１２を介しフィルター枠１４によって挟着保持されている。ここでは、絞りレバー１５による絞り径の粗調整角度量β＝１°（一定）に設定しており、開閉環１３には絞りレバー１５と周方向には遊びなく係合する係合溝１３ｂ、１３ｃ、１３ｄ、１３ｅ、１３ｃ´、１３ｄ´、１３ｅ´が４４°（＝３６０／Ｎ°−１°）の角度ピッチで７箇所（設計基準位置である係合溝１３ｂの両側に各３箇所ずつ）設けてある（図４）。この係合溝は従来、設計基準位置のみに設けられており、調整の余地はなかった。本実施形態では絞りレバー１５がいずれかの係合溝と係合することにより、開閉環１３の角度位置が決定される。
【００１０】
絞りレバー１５にはレリーズ環１６が固着されている。レリーズ環１６は光軸周りに回転可能である。レリーズ環１６には絞りレリーズ板１７が固着されている。絞りレリーズ板１７はカメラボディ側レリーズ板（図示しない）と係合し、カメラボディ側から操作される。従来は図５および図６に示すように、絞りレリーズ板１７に長溝１７ａを設け、止めネジ１８を用いてレリーズ環１６と固定していて、組立時における絞り径の調整箇所はこのレリーズ環１６と絞りレリーズ板１７との相対角度位置の調整のみであった。本実施形態では図２に示すように、絞りレリーズ板１７はレリーズ環１６と調整シロなく固定される。
【００１１】
絞り羽根１０はその被写体側とフィルム面側に支持ピン１０ａと駆動ピン１０ｂをそれぞれ有している。支持ピン１０ａは支持環１２のカム溝１２ａ内に嵌入支持されている（図３）。駆動ピン１０ｂは開閉環１３の駆動穴１３ａ内に嵌入支持されている（図４）。開閉環１３を回転させると所要の間隔（ここでは４５°間隔でＮ＝８枚）で設けた上記絞り羽根１０による絞り開口が開閉される。すなわち、開閉環１３の回転によって駆動穴１３ａおよび駆動ピン１０ｂが回転するので全ての絞り羽根１０が光軸中心に回転し、同時に支持ピン１０ａがカム溝１２ａに沿って摺動し各絞り羽根１０が駆動ピン１０ｂを中心とした回転をする、従来公知の絞り開閉機構である。この実施例では、被写体側から見て開閉環１３が光軸周り時計方向に４°回転操作されると１Ｅｖ絞り径が大きくなる。以下に本実施形態における絞り開閉装置の組立時調整について説明する。
【００１２】
まず支持環１２と固定環１１、および開閉環１３と絞りレバー１５は設計基準位置で係合させて絞り径を測定する。理想的には、測定した絞り径は規格内であるべきだが、各部品の加工精度や組み立て精度に左右されて規格を外れてしまうので、調整が必要となる。
【００１３】
絞り羽根１０の駆動ピン１０ｂと開閉環１３の駆動穴１３ａの係合を外しておき、絞りレバー１５と係合する開閉環１３の係合溝を、基準位置である係合溝１３ｂから、フィルム面側から見て光軸周り反時計方向に隣り合う第１の係合溝１３ｃにずらすと、開閉環１３の角度位置は時計方向に４４°回転する。開閉環１３は８箇所の駆動穴１３ａを同心円上等分位置に有するのみであるから、開閉環１３の時計方向４４°回転は、反時計方向１°回転と同じである。すなわち、本実施例では４°の回転が１Ｅｖの変化に相当するから、この反時計方向１°の回転によって露出値を１／４Ｅｖ大きくする粗調整となる。また、調整量を大きくしたければ、係合溝１３ｄにずらすと、開閉環１３の角度位置は時計方向に８８°回転し、反時計方向２°回転と同じであるので、露出値を１／２Ｅｖ大きくする粗調整となる。また開口径（露出値）を小さくしたければ、上記と反対方向（フィルム面側から見て光軸周り時計方向）の係合溝１３ｃ´にずらせばよい。係合溝は、係合溝１３ｂの両側に３箇所ずつ設けてあるので、最大で±３°の粗調整が可能となる。なお、調整後には再び絞り羽根１０の駆動ピン１０ｂと開閉環１３の駆動穴１３ａを係合させる。
【００１４】
絞り羽根１０の支持ピン１０ａと支持環１２のカム溝１２ａの係合を外しておき、固定環１１の係合突起１１ｂと係合する支持環１２のＵ溝を、基準位置であるＵ溝１２ｂから、被写体側から見て光軸周り反時計方向に隣り合う第１のＵ溝１２ｃにずらすと、支持環１２の角度位置は時計方向に４４°５０′回転する。支持環１２は８箇所のカム溝１２ａを同心円上等分位置に有するのみであるから、支持環１２の時計方向４４°５０′回転は、反時計方向１０′回転と同じである。すなわち、本実施例では４°の回転が１Ｅｖの変化に相当するから、この１０′の回転によって露出値を１／２４Ｅｖ大きくする微調整となる。また、調整量を大きくするときは、Ｕ溝１２ｄにずらせば、支持環１２の角度位置は反時計方向に８９°４０′回転するので、時計方向２０′回転と同じ結果となり、露出値を１／１２Ｅｖ大きくする微調整となる。Ｕ溝は、Ｕ溝１２ｂの両側に３箇所ずつ設けてあるので、最大で±３０′の微調整が可能となる。なお、調整後には再び絞り羽根１０の支持ピン１０ａと支持環１２のカム溝１２ａを係合させる。
【００１５】
この実施例では、上記の調整機構による微調整と粗調整を組み合わせれば、絞り径の設計基準に対し調整範囲は±３°３０′、１０′ピッチ（露出値に換算すると調整範囲は±７／８Ｅｖ、１／２４Ｅｖピッチ）で調整できるので、測定結果に基づき適当な調整量となるように調整すればよい。
【００１６】
以上の実施形態は、調整機構の調整間隔α、βを等ピッチとしたが、この調整間隔（α、β）は等ピッチである必要はなく、任意の角度間隔に設定してもよい。例えば、Ｕ溝１２ｂとＵ溝１２ｃとの角度を４４°５０′（α1＝１０′）、Ｕ溝１２ｃとＵ溝１２ｄとの角度を４４°４０′（α2＝２０′）、Ｕ溝１２ｄとＵ溝１２ｅとの角度を４４°３０′（α3＝３０′）にすると、基準位置に対し１０′、３０′、６０′の調整間隔となるので、それぞれ１／２４Ｅｖ、１／８Ｅｖ、１／４Ｅｖの調整ができることとなる。
【００１７】
以上の実施形態では、α＜βとしたが、α＞βとすること、すなわち支持環１２側を粗調整機構とし、絞りレバー１５側を微調整機構とすることも可能である。
【００１８】
【発明の効果】
本発明によって、絞り開閉装置の絞り径調整が広範囲に細かく段階的に可能となったので、調整がわかりやすく容易になり、従来に比して作業時間が短縮できる。
【図面の簡単な説明】
【図１】本発明による絞り開閉装置の組立時調整機構を適用したレンズ鏡筒の側断面図である。
【図２】本発明による絞り開閉装置の組立時調整機構を適用したレンズ鏡筒のレリーズ板をフィルム面側から見た部分図である。
【図３】図１におけるIII−III断面図である。
【図４】図１におけるIV−IV断面図である。
【図５】従来のレンズ鏡筒の側断面図である。
【図６】従来のレンズ鏡筒のレリーズ板をフィルム面側から見た部分図である。
【符号の説明】
１０    絞り羽根
１０ａ  支持ピン
１０ｂ  駆動ピン
１１    固定環
１１ａ  第１段部
１１ｂ  係合突起
１１ｃ  第２段部
１２    支持環
１２ａ  カム溝
１２ｂ  Ｕ溝（設計基準位置）
１２ｃ  １２ｄ  １２ｅ  １２ｃ´  １２ｄ´  １２ｅ´    Ｕ溝
１３    開閉環
１３ａ  駆動穴
１３ｂ  係合溝（設計基準位置）
１３ｃ  １３ｄ  １３ｅ  １３ｃ´  １３ｄ´  １３ｅ´    係合溝
１４    フィルター枠
１５    絞りレバー
１６    レリーズ環
１７    絞りレリーズ板
１７ａ  長溝
１８    止めネジ
【図１】
0004203185.tif 000002
【図２】
0004203185.tif 000003
【図３】
0004203185.tif 000004
【図４】
0004203185.tif 000005
【図５】
0004203185.tif 000006
【図６】
0004203185.tif 000007